(57)【要約】      （修正有）【課題】羽根、駆動モーター及びホルダーによって構成された内蔵式揺動形態の扇風機において、送風方向が上下左右と多方向に広がるようにする。【解決手段】駆動モーター３０はホルダー４０の内部に設置されている。駆動モーター３０の回転軸を有する第一端は揺動可能な状態であり、一つの前置式ブラケットに設置されている。駆動モーターの第二端には一つのクランク連動部品５０が装着してあり、クランク連動部品５０の第二端はホルダー４０に設置されている一つの軸受に締結してある。クランク連動部品５０は、その第一端の連動動作により前記第二端に関して円周回転動作を行い、駆動モーター３０及び前記羽根２０が上下傾斜の円周循環スイング動作を行う。送風方向は上下左右と多方向に広がり、使用者の要求に適合している。【選択図】図１
0003136859.tif 000002
【実用新案登録請求の範囲】
【請求項１】
一つの羽根、一つの駆動モーター及び一つのホルダーによって構成され、前記羽根は前記駆動モーターの回転軸に装着され、前記駆動モーターは前記ホルダーの内部に据付けられている内蔵式揺動形態の扇風機であって、
前記駆動モーター（３０）の回転軸（３１）を有する第一端（３０１）は揺動可能な状態であり、一つの前置式ブラケット（４１）に設置されており、
前記駆動モーターの第二端（３０２）には一つのクランク連動部品（５０）が装着され、
前記クランク連動部品（５０）の第二端（５２）はホルダー（４０）に設置されている一つの軸受（４２）に締結してあり、
前記クランク連動部品（５０）は、その第一端の連動動作により前記第二端（５２）に関して円周回転動作を行い、前記駆動モーター（３０）及び前記羽根（２０）が上下傾斜の円周循環スイング動作を行う構成の扇風機。
【請求項２】
前記クランク連動部品の第一端と前記駆動モーターの回転軸の間の伝動動作を行うギアユニット（６０）を有し、
前記駆動モーターの回転軸が回転したとき、前記クランク連動部品の第二端も同時に回転し、前記駆動モーター、前記回転軸及び前記羽根が縦斜め方向の円周循環スイング動作を行う請求項１に記載の扇風機。
【請求項３】
前記前置式ブラケット（４１）は、前記ホルダー（４０）の前端の穴形態であり、さらにその穴の周囲の間隔部位のホルダー壁端には数個の中空部（４３）が環状に設置され、さらに各中空部の間の相対部分にリブ部（４４）を形成し、各リブ部の断面は彎曲形態を呈しており、これにより前置式ブラケットは力を受けるとスイングする弾性を有する請求項１に記載の扇風機。
【請求項４】
前記前置式ブラケットに代えて、一つのユニバーサル軸受けを有する請求項１または請求項３に記載の扇風機。
【請求項５】
前記クランク連動部品の第一端（５１）は、前記駆動モーターの第二端（３０２）に固定してある一つの揺動回転駆動モーター（３２）に組み付けてある請求項１に記載の扇風機。
【請求項６】
前記揺動回転駆動モーターの駆動及び停止を制御する一つの揺動制御スイッチ（３４）を有する請求項５に記載の扇風機。
【請求項７】
前記ホルダー（４０）の軸受（４２）は、一つの貫通穴よりなり、
前記クランク連動部品（５０）の前記第二端（５２）は軸栓形態であり、前記貫通穴と嵌合している請求項１に記載の扇風機。
【請求項８】
一つの外枠（１０）を更に有し、
前記外枠は、前記ホルダー（４０）の外部に装着され、前記羽根（２０）をその中に囲んでいる請求項１に記載の扇風機。
【請求項９】
前記外枠は、台座（７０）付きのスタンド型である請求項８に記載の扇風機。
【請求項１０】
前記外枠は、壁掛部（８０）付きの壁掛け型である請求項８に記載の扇風機。
【請求項１１】
前記外枠は、吊り下げ部（９０）付きの天井取り付け型である請求項８に記載の扇風機
【請求項１２】
前記ホルダーは、吊り下げ部（９０Ｂ）付きの天井取り付け型である請求項１に記載の扇風機。
【考案の詳細な説明】
【技術分野】
【０００１】
本考案は扇風機に係り、特に、羽根の回転動作により送風効果を有するものであって、内蔵式揺動形態の斬新構造を有する扇風機に関する。
【背景技術】
【０００２】
現在、市場における一般的な扇風機構造の風向き制御は、首振り方式及び回転式ルーバーの二種類に大別される。首振り扇風機は羽根の回転とともにヘッドが左右に振れ、風向制御を行うという仕組みである。ルーバー回転式扇風機は、扇風機本体にルーバーが装着され、そのルーバーの回転により風向制御が行われる仕組みである。
【考案の開示】
【考案が解決しようとする課題】
【０００３】
首振り扇風機は、同じ高さにおける平行首振りしか行えないため、送風面積を上下に広げることができず、一部の環境においては適用することができない。また、首振り扇風機の首振り支点はヘッドの下のやや後方にあるため、首振り動作を行った時、羽根の外枠は前述のスイング支点を中心として大きく揺動し、使用時により大きな空間を占用してしまうことになる。
【０００４】
また、ルーバー回転式扇風機のルーバーは斜めに設置された多数の板によって導流を行っているため、その斜面構造によって、気流がある程度阻止されてしまい、扇風機の送風機能が著しく低下するという欠点が存在する。さらに、多くの板によって形成されたルーバー部の隙間構造は清掃が大変不便である。
【０００５】
また、現在の工業用大型扇風機では、強い風力効果を得るため、羽根部は金属片、外枠の着地部には安定性の高いスタンドを用いるのが一般的である。さらに、一部の工業用大型扇風機は安定性重視のためにリズミカルな首振り機能を捨てた結果、送風面積が小さくなり、風向を変えたい時は使用者が自ら扇風機を移動させなければならない。そうなると、実用性が低下するだけでなく、扇風機を移動させる時に誤って羽根部に触れて怪我してしまうおそれがあり（運転中は特に危険）、その安全性が心配される。
【０００６】
そこで、上述の旧式構造の使用上における問題点を改善し、より理想的で実用性を伴った新型構造を開発することは消費者が待望することであり、関連業者の目指すところでもある。本考案者は長年関連製品の設計開発に携わってきた経験を活かし、上述の目標を達成すべく、工夫を凝らした設計を取り入れ、慎重に評価を重ねた後に実用性をもった考案を案出した。
【０００７】
本考案の主な目的は既存の扇風機の問題点を改善し、羽根、駆動モーター及びホルダーによって構成された内蔵式揺動形態を有する一種の扇風機を提供することであり、その羽根は駆動モーターの回転軸に装着され、駆動モーターはホルダーの内部に据付けられている。
【課題を解決するための手段】
【０００８】
本考案における問題解決のための主な技術手法は、その駆動モーターの回転軸を有する第一端は揺動可能な状態であり、一つの前置式ブラケットに設置されており、駆動モーターの第二端には一つのクランク連動部品が装着され、そのクランク連動部品の第一端の連動動作により第二端にスイング運動が生じ、その第二端はホルダーと対称に設置されている一つの回転軸に締結されている。これにより、駆動モーターの回転軸が回転した時、クランク連動部品の第二端も同時に回転し、駆動モーター、回転軸及び羽根に縦斜め方向の円周循環スイング動作が行われる。このような独創的な新型設計により、本考案は従来の技術に較べ、以下の進歩性を有することが分かる。
【考案の効果】
【０００９】
内蔵式揺動形態を有する斬新的な扇風機構造を提供し、その扇風機は駆動モーター及び羽根の組合せにより上下傾斜スイング動作を行い、送風方向を自動的に変更できるという特色をもっている。さらに、その送風方向は一つの円形循環ルートに沿って変化するという独特な動作形態となっているため、送風範囲は上下左右と多方向に広がり、より使用者の需要に適合した実用的かつ進歩性を有したものとなっている。
【考案を実施するための最良の形態】
【００１０】
以下、本考案の実施例になる扇風機について説明する。
【実施例１】
【００１１】
図１は本考案の実施例になる扇風機の斜視図、図２は図１の扇風機を分解して示す図、図３は扇風機のモーターホルダーの部分を拡大して示す図である。
【００１２】
扇風機Ａは、一つの外枠１０、一つの羽根２０、一つの駆動モーター３０及び一つのホルダー４０を含み、外枠１０は網状ガードによって構成され、羽根２０は駆動モーター３０の回転軸３１端部に装着され、駆動モーター３０はホルダー４０の内部に設置されている。外枠１０はホルダー３０の外部に装着され、羽根２０をその中に囲んでいる。
【００１３】
次に本考案の主な特徴について説明する。
【００１４】
図４はモーターホルダーと羽根とを対応させて示す、図５はモーターホルダー内部の構造を示し、図６はクランク連動部品が一つの揺動回転駆動モーターによって単独駆動されている実施例を示す。
【００１５】
図４乃至図６に示すように、駆動モーター３０の回転軸３１を有する第一端３０１は揺動可能な状態であり、ホルダー４０に設けられた一つの前置式ブラケット４１と連結している。駆動モーター３０の第二端３０２には一つのクランク連動部品５０が装着され、クランク連動部品５０の第一端５１はモーター３０の回転軸３１によって動かされ、クランク連動部品５０の第二端はホルダー４０の中心に設置されている一つの軸受４２に支持されている。
【００１６】
この構造において、ホルダー４０の前置式ブラケット４１は穴形態とすることができ、さらにその穴周囲の間隔部位のホルダー４０の壁端には数個の中空部４３が環状に設置され、さらに各中空部の間の相対部分にリブ部４４が形成してある。各リブ部４４の断面は図４、図５に示すように彎曲形態を呈しており、これにより前置式ブラケット４１は力を受けると揺動変形する弾性を有する。
【００１７】
なお、前置式ブラケット４１に代えて、ユニバーサル軸受けを採用しても、駆動モーター３０の第一端３０１に同様な揺動式組合せを実現することができる。
【００１８】
図５に示すように、クランク連動部品５０の第一端５１と駆動モーター３０の回転軸３１の間はギアユニット６０により連結され、回転軸３１の回転がギアユニット６０を介してクランク連動部品５０に伝達される。この構造により、回転軸３１が回転したとき、ギアユニット６０の一定の分配比に基づいて変速されて伝動され、クランク連動部品５０は適度な速度で円周回転動作を行う。
【００１９】
また、図５に示すように、ホルダー４０の軸受４２は一つの貫通穴よりなり、クランク連動部品５０の第二端５２は軸栓形態であり、軸受４２と嵌合している。
【００２０】
図６は、専用の揺動回転駆動モーター３２を備えた構成である。揺動回転駆動モーター３２が駆動モーター３０の第二端３０２に取り付けてある。クランク連動部品５０の第一端５１は揺動回転駆動モーター３２に組み付け、単独的に連動動作を行うことができる。即ち、この実施例において、クランク連動部品５０の動作と駆動モーター３０の回転軸３１の動作に連動関係は無い。また、扇風機に一つの揺動制御スイッチ３４（図１２を参照）を設置すると、揺動回転駆動モーター３２の駆動及び停止を制御することができる（即ち羽根の揺動動作制御）。
【００２１】
上述の構造、設計に基づいた本考案の使用状況を以下に説明する。
【００２２】
図５に示すように、駆動モーター３０が起動し、回転軸３１が回転した時、ギアユニット６０の働きによってクランク連動部品５０が駆動され、クランク連動部品５０の第二端５２に円周回転運動が生じ、その動きによって駆動モーター３０、回転軸３１に上下傾斜の円周循環スイング動作が行われる。例えば図７、図８に示すように、本考案における扇風機Ａは外枠１０を調整しなくても、羽根２０に上下傾斜の円周循環スイング動作を行わせ、送風方向を自動的に変更する目的を実現できることに加えて、その送風方向は一つの円形循環ルートに沿って変化するという独特な動作形態となっているため、送風範囲は上下左右と多方向に広がるという利点を有する。
【００２３】
図１に示すように、外枠１０は台座７０付きスタンド型とすることができる。台座７０を設置することにより、扇風機Ａは地面または卓上に据え付けて使用することができる。
【００２４】
また、図９に示すように、外枠１０は壁掛部８０付きの壁掛け型とすることができる。即ち、壁掛部８０の設置により、扇風機Ａを壁面に据え付けて使用することができる。
【００２５】
また、図１０に示すように、外枠１０は吊り下げ部９０付きの吊り下げ型とすることができる。即ち、吊り下げ部９０の設置により、扇風機Ａを天井から吊り下げて使用することができる。
【００２６】
さらに、図１１に示すように、扇風機Ａは天井扇構造にも適用可能で、比較的に長い羽根２０Ｂと前述各実施例における構造を有しない外枠部を利用して、ホルダー４０の頂端に一つの吊り下げ部９０Ｂを装着すると、扇風機Ａ全体を天井から吊り下げ、天井扇の羽根２０Ｂは上下傾斜のスイング動作を行うことができる。
【００２７】
図１２に示すように、ホルダー４０の後方に一つのガード３３を設置し、前述の駆動モーター、クランク連動部品を全て覆い隠すことで、美観性を維持することができる。
【００２８】
本考案における内蔵式揺動形態を有する斬新的な扇風機構造の扇風機Ａは外枠１０を調整しなくても、駆動モーター３０及び羽根２０に上下傾斜の円周循環スイング動作を行わせ、送風方向を自動的に変更する目的を実現できるうえ、その送風方向は一つの円形循環ルートに沿って変化するという独特な動作形態となっているため、送風範囲は上下左右と多方向に広がるという効果を有する。
【００２９】
次に、本考案と先行技術における各既存構造とを比較して、本考案の効果を記載する。
1.首振り扇風機と比較すると、本考案における扇風機はその内蔵式揺動設計により、風向きは一つの円形循環ルートに沿って変化し、送風面積は上下左右と多方向に広がり、より効率的な送風効果を得ることができるため、首振り扇風機の平行左右スイング動作に比べ、より実用性及び進歩性を有する。また、使用時の体積に関しては、図１３が示すように、左の本考案における内蔵式扇風機の動作状態と右の首振り扇風機Ｂの動作状態を比較すると、内蔵式扇風機と首振り扇風機の送風幅Ｒ１、Ｒ２を同じとしたとき、本考案における駆動モーター３０、羽根２０は前置式ブラケット４１を回転支点としているため、動作時の構造幅Ｌ１は首振り扇風機の構造幅Ｌ２よりも遥かに小さく、つまり、本考案の内蔵式扇風機を使用した時の空間占有率は首振り扇風機よりも小さく、スペースを節約できる。
２．ルーバー回転式扇風機と比較すると、本考案における扇風機は内蔵式駆動モーター３０及び羽根２０の揺動動作により風向制御を行っているため、外枠は細かいフレームを用いて構成することができ、送風時の風抵抗を最小限に抑えることができる。ルーバー回転式扇風機のルーバー斜面構造に存在する気流が滞留しやすいという欠点に対し、本考案の扇風機はその欠点を有効に解決し、送風効率を大幅に向上させた実用性及び進歩性を兼備したものとなる。
３．既存の工業用大型扇風機に比べると、本考案における扇風機は内蔵式駆動モーター３０及び羽根２０の揺動動作により風向制御を行っているため、風向調整のために扇風機に触れたり、移動させる等の操作頻度が少なく、強固な羽根によって手を怪我してしまうという危険性を回避できる安全性に優れたものとなっている。
【００３０】
上述の実施例は本考案を具体的に説明したものであり、文中では特定の専門用語を用いて説明しているが、本実用新案の特許範囲を限定するものではなく、この技術分野を熟知した者は本考案の精神及び原則を逸脱しない限り、本考案に変更または改良を加えることができる。しかし、それらの変更または改良は全て実用新案登録請求の範囲に含まれるものとする。
【図面の簡単な説明】
【００３１】
【図１】本考案の扇風機の実施例の斜視図である。
【図２】図１の扇風機を分解して示す図である。
【図３】図１の扇風機のモーターホルダーの部分を拡大して示す図である。
【図４】モーターホルダーと羽根とを対応させて示す図である。
【図５】モーターホルダー内部の構造を示す図である。
【図６】クランク連動部品が一つの揺動回転駆動モーターによって単独駆動される実施例を示す図である。
【図７】本考案の扇風機全体の動作状態を示す図である。
【図８】本考案の扇風機全体の動作状態を示す図である。
【図９】本考案の扇風機の第二の設置例を示す図である。
【図１０】本考案の扇風機の第三の設置例を示す図である。
【図１１】本考案の扇風機を天井扇に適用した実施例を示す図である。
【図１２】本考案における扇風機ホルダーの後方にガードを設置した実施例を示す図である。
【図１３】本考案における扇風機と従来の首振り扇風機の動作状態を対比して示す図である。
【符号の説明】
【００３２】
Ａ  扇風機
１０  外枠
２０、２０Ｂ  羽根
３０  駆動モーター
３０１  第一端
３０２  第二端
３１  回転軸
３２  揺動回転駆動モーター
３３  ガード
３４  揺動制御スイッチ
４０  ホルダー
４１  前置式ブラケット
４２  軸受
４３  中空部
４４  リブ部
５０  クランク連動部品
５１  第一端
５２  第二端
６０  ギアユニット
７０  台座
８０  壁掛部
９０、９０Ｂ  吊り下げ部
Ｂ  首振り扇風機
【図１】
0003136859.tif 000003
【図２】
0003136859.tif 000004
【図３】
0003136859.tif 000005
【図４】
0003136859.tif 000006
【図５】
0003136859.tif 000007
【図６】
0003136859.tif 000008
【図７】
0003136859.tif 000009
【図８】
0003136859.tif 000010
【図９】
0003136859.tif 000011
【図１０】
0003136859.tif 000012
【図１１】
0003136859.tif 000013
【図１２】
0003136859.tif 000014
【図１３】
0003136859.tif 000015